(57)【要約】【課題】作業者が一人作業で乗かご内カメラ取付け板を簡易に取り付けられるエレベータの乗かご内カメラ取付け板、及びエレベータの乗かご内カメラ取付け方法を提供する。【解決手段】乗かご内カメラ取付け板１ａ，１ｂは、乗かご３の乗かご壁面５を貫通して乗かご上面６に露出され、開口部の左右の位置で乗かご壁面５に固定される一対のカメラ固定部９ａ，９ｂと、開口部の横幅よりも小さな横幅を有し、乗かご上面６から開口部を通過して乗かご３内に挿入され、乗かご壁面５に係止されたカメラ固定部９ａ，９ｂにより保持され、カメラ４が取付けられるカメラ取付部１０ａ，１０ｂと、を備える。【選択図】図１
2010159120.tif 000002
【特許請求の範囲】
【請求項１】
エレベータの乗かご内に設置されるカメラを取付ける乗かご内カメラ取付け板であって、
乗かご内の第１の作業者により乗かごの側面と天井との隙間に挿入され、乗かごの上面において、第２の作業者により乗かごの外部から乗かごの壁面に固定される一対のカメラ固定部と、前記固定作業が完了するまで乗かご内で第１の作業者により保持されてカメラが取付けられるカメラ取付部とを備え、カメラ固定部は、カメラ取付部と同じ横幅を有し、乗かご壁面に設けられたカメラのケーブル通線用の開口部を挟んで配置されるエレベータの乗かご内カメラ取付け板において、
乗かごの壁面を貫通して乗かごの上面に露出され、前記開口部の左右の位置で乗かご壁面に固定される一対のカメラ固定部と、
前記開口部の横幅よりも小さな横幅を有し、乗かごの上面から前記開口部を通過して乗かご内に挿入され、乗かご壁面に係止されたカメラ固定部により保持され、カメラが取付けられるカメラ取付部と、を備えることを特徴とするエレベータの乗かご内カメラ取付け板。
【請求項２】
請求項１に記載のエレベータの乗かご内カメラ取付け板であって、カメラ固定部は、乗かごの上面での作業性により、乗かごの側面と天井との隙間の外部壁側か内部壁側かが選択されて取付けられることを特徴とするエレベータの乗かご内カメラ取付け板。
【請求項３】
エレベータ乗かご内に設置されるカメラを取付ける乗かご内カメラ取付け方法であって、
乗かご内の第１の作業者により乗かごの側面と天井との隙間に挿入された乗かご内カメラ取付け板を、第２の作業者により乗かごの外部から乗かご壁面に固定するステップと、前記固定作業が完了するまで第１の作業者により乗かご内で乗かご内カメラ取付け板を保持するステップと、第１の作業者により、乗かご内で乗かご内カメラ取付け板にカメラを取付けるステップと、を備えるエレベータの乗かご内カメラ取付け方法において、
作業者により、乗かご内カメラ取付け板を、乗かごの上面から前記開口部を通過させて乗かご内に挿入するステップと、
作業者により、乗かごの壁面を貫通して乗かごの上面に露出された乗かご内カメラ取付け板を、乗かご壁面に係止させながら前記開口部の左右の位置で外部から乗かご壁面に固定するステップと、
作業者により、乗かご内で乗かご内カメラ取付け板にカメラを取付けるステップと、を備えることを特徴とするエレベータの乗かご内カメラ取付け方法。
【請求項４】
請求項３に記載のエレベータの乗かご内カメラ取付け方法であって、乗かご内カメラ取付け板は、乗かごの上面での作業性により、乗かごの側面と天井との隙間の外部壁側か内部壁側かが選択されて取付けられることを特徴とするエレベータの乗かご内カメラ取付け方法。
【発明の詳細な説明】
【技術分野】
【０００１】
本発明は、エレベータの乗かご内カメラ取付け板、及び乗かご内カメラ取付け方法に係り、特に、エレベータの乗かご内に設置されるカメラを支持する乗かご内カメラ取付け板、及び乗かご内カメラ取付け板を用いてエレベータの乗かご内カメラを取付ける乗かご内カメラ取付け方法に関する。
【背景技術】
【０００２】
エレベータの乗かごの壁面に防犯用のカメラを取り付ける方法としては、乗かごの壁面に電気ドリル等にて孔を明けて防犯カメラをタッピングビスにより壁面に固定する方法がある。また、エレベータの乗かごの壁面に両面テープにて防犯用のカメラを固定する方法もある。これらの方法の場合には、防犯カメラ用ケーブルを配線するための直径３０ｍｍ程度の孔を乗かご壁面に明けることになる。
【０００３】
図５及び図６に、一般的な従来の乗かご内カメラ取付け板を示す。また、図７に、従来の乗かご内カメラ取付け板１００ａの形状を示す。図５はエレベータ乗かご１０３の断面図である。乗かご内カメラ取付け板１００ａ，１００ｂは、エレベータ乗かご１０３の形状により図５（ａ）及び図５（ｂ）の２つのタイプがあり、作業者が乗かご上面１０６で作業がし易い方が選択される。図６は図５（ａ）のＣ−Ｃ断面である。図５（ｂ）の断面も図６とほぼ同様であるため省略する。図７（ａ）は、乗かご内カメラ取付け板１００ａの側面であり、図７（ｂ）は、図７（ａ）のＤ−Ｄ断面である。
【０００４】
乗かご内カメラ取付け板１００ａ，１００ｂは、乗かご１０３の上部に突出した乗かご壁面１０５に乗かご上面１０６から蝶ネジ１０２により固定される一対のカメラ固定部１０９ａ，１０９ｂと、防犯カメラ１０４を保持するカメラ取付部１１０から構成される。図６に示すように、上部に突出した乗かご壁面１０５に設けられたカメラ１０４のケーブル通線用の開口部１０８を挟んで左右に配置される。また、図７に示すように、乗かご内カメラ取付け板１００は、２箇所のビス孔１１１ａ，１１１ｂを有する一対のカメラ固定部１０９ａ，１０９ｂと、カメラ固定部１０９と同じ横幅（Ｗ）を有するカメラ取付部１１０とから構成される。そして、乗かご１０３内に防犯カメラ１０４を取付ける際には、乗かご１０３内の第１の作業者により乗かご内カメラ取付け板１００を乗かご１０３の側面と天井との隙間に挿入し、乗かご上面１０６から第２作業者により乗かご内カメラ取付け板１００を乗かご壁面１０５にビス止めする。この固定作業が完了するまで、乗かご内カメラ取付け板１００は、乗かご１０３内で第２作業者により保持される。
【０００５】
図８に、従来のエレベータの乗かご内カメラ取付方法を示す。乗かご１０３内の第１の作業者により乗かご１０３の側面と天井との隙間に挿入された乗かご内カメラ取付け板１００を、第２の作業者により乗かご１０３の外部から乗かご壁面１０５に固定する（１００）。一方、この固定作業が完了するまで第１の作業者により乗かご１０３内で乗かご内カメラ取付け板１００を保持する（１０１）。さらに、第１の作業者により、乗かご１０３内で乗かご内カメラ取付け板１００にカメラ１０４を取付けて（Ｓ１０２）、全ての作業を終了する。
【０００６】
一方、特許文献１には、防犯装置を乗かご内より取付けることのできるエレベータの防犯装置が開示されている。ここでは、隣接する１対の乗かご側壁と乗かご天井とで形成される乗かご上部のコーナー部に乗かご内を監視するカメラを取付け、カメラに対応する部分に開口を形成したカメラの保護用のカバーを、隣接する１対の乗かご側壁と乗かご天井に押しつけるようにして位置決めをしながら取付けて、カメラをカバー内に配置することが記載されている。
【０００７】
【特許文献１】実開平０４−１３５５７３号公報
【発明の開示】
【発明が解決しようとする課題】
【０００８】
エレベータの乗かごの壁面に防犯カメラをタッピングビスにより固定する方法は、作業者が一人作業にて行えるが、乗かごの壁面に孔を明ける作業は精度を出し難く、防犯カメラを正確に固定することが難しい。また、カメラが不要になり取り外すと、乗かごの壁面に孔が残り意匠上の問題が発生する。
【０００９】
エレベータの乗かごの壁面に防犯用のカメラを両面テープにて固定する方法は、作業者が一人作業にて行えるが、両面テープが経年的な劣化により剥れ易くなり、防犯カメラの落下による事故が発生する虞がある。
【００１０】
図５及び図６に示す従来の乗かご内カメラ取付け板、及び乗かご内カメラ取付け方法では、乗かご内で作業する第１の作業者、及び乗かご上面で作業する第２の作業者を必要とし、２人作業となるという問題がある。また、第２の作業者は、乗かごの壁面から目視できない一対のカメラ固定部に向かってビスを打たなければならず、取付けの精度上、及び作業上の問題がある。
【００１１】
本願の目的は、かかる課題を解決し、作業者が一人作業で乗かご内カメラ取付け板を簡易に取り付けられるエレベータの乗かご内カメラ取付け板、及びエレベータの乗かご内カメラ取付け方法を提供することである。
【課題を解決するための手段】
【００１２】
上記目的を達成するため、本発明に係るエレベータの乗かご内カメラ取付け板は、エレベータの乗かご内に設置されるカメラを取付ける乗かご内カメラ取付け板であって、乗かご内の第１の作業者により乗かごの側面と天井との隙間に挿入され、乗かごの上面において、第２の作業者により乗かごの外部から乗かごの壁面に固定される一対のカメラ固定部と、前記固定作業が完了するまで乗かご内で第１の作業者により保持されてカメラが取付けられるカメラ取付部とを備え、カメラ固定部は、カメラ取付部と同じ横幅を有し、乗かご壁面に設けられたカメラのケーブル通線用の開口部を挟んで配置されるエレベータの乗かご内カメラ取付け板において、乗かごの壁面を貫通して乗かごの上面に露出され、前記開口部の左右の位置で乗かご壁面に固定される一対のカメラ固定部と、前記開口部の横幅よりも小さな横幅を有し、乗かごの上面から前記開口部を通過して乗かご内に挿入され、乗かご壁面に係止されたカメラ固定部により保持され、カメラが取付けられるカメラ取付部と、を備えることを特徴とする。
【００１３】
この構成により、乗かご内カメラ取付け板は、カメラ取付部が乗かご壁面に係止されたカメラ固定部により保持される。このため、乗かご上面で作業をしていた作業者は容易に乗かご内に移動でき、１人の作業者により全ての作業が完結する。また、作業者は、乗かごの壁面を貫通して乗かごの上面に露出された一対のカメラ固定部を、目視により確認しながら乗かごの壁面に向かってビスにより固定できる。これにより、簡易に乗かご内カメラ取付け板を取付けることができる。
【００１４】
また、エレベータの乗かご内カメラ取付け板は、カメラ固定部が、乗かごの上面での作業性により、乗かごの側面と天井との隙間の外部壁側か内部壁側かが選択されて取付けられることが好ましい。
【００１５】
上記目的を達成するため、本発明に係るエレベータの乗かご内カメラ取付け方法は、エレベータ乗かご内に設置されるカメラを取付ける乗かご内カメラ取付け方法であって、乗かご内の第１の作業者により乗かごの側面と天井との隙間に挿入された乗かご内カメラ取付け板を、第２の作業者により乗かごの外部から乗かご壁面に固定するステップと、前記固定作業が完了するまで第１の作業者により乗かご内で乗かご内カメラ取付け板を保持するステップと、第１の作業者により、乗かご内で乗かご内カメラ取付け板にカメラを取付けるステップと、を備えるエレベータの乗かご内カメラ取付け方法において、作業者により、乗かご内カメラ取付け板を、乗かごの上面から前記開口部を通過させて乗かご内に挿入するステップと、作業者により、乗かごの壁面を貫通して乗かごの上面に露出された乗かご内カメラ取付け板を、乗かご壁面に係止させながら前記開口部の左右の位置で外部から乗かご壁面に固定するステップと、作業者により、乗かご内で乗かご内カメラ取付け板にカメラを取付けるステップと、を備えることを特徴とする。
【００１６】
この構成により、乗かご内カメラ取付け板を乗かご壁面に係止させることができる。このため、乗かご上面で作業をしていた作業者は容易に乗かご内に移動でき、１人の作業者により全ての作業が完結する。また、作業者は、乗かごの壁面を貫通して乗かごの上面に露出された乗かご内カメラ取付け板を、目視により確認しながら乗かごの壁面に向かってビスにより固定できる。これにより、簡易に乗かご内カメラ取付け板を取付けることができる。
【００１７】
また、エレベータの乗かご内カメラ取付け方法は、乗かご内カメラ取付け板が、乗かごの上面での作業性により、乗かごの側面と天井との隙間の外部壁側か内部壁側かが選択されて取付けられることが好ましい。
【発明の効果】
【００１８】
このように、本発明に係るエレベータの乗かご内カメラ取付け板、及びエレベータの乗かご内カメラ取付け方法によれば、作業者が一人作業で乗かご内カメラ取付け板を簡易に取り付けることが可能となる。
【発明を実施するための最良の形態】
【００１９】
以下に、図面を用いて本発明に係るエレベータの乗かご内カメラ取付け板の実施の形態につき、詳細に説明する。
【００２０】
図１及び図２に、エレベータの乗かご内カメラ取付け板の１つの実施形態の概略構成を示す。図１は乗かご３の断面図である。図２は図１（ａ）のＢ−Ｂ断面である。図３（ａ）は、乗かご内カメラ取付け板１ａの側面であり、図３（ｂ）は、図３（ａ）のＢ−Ｂ断面である。乗かご内カメラ取付け板１ａ，１ｂは、乗かご３の形状により図１（ａ）及び図１（ｂ）の２つのタイプがある。また、図３に、乗かご内カメラ取付け板１ａの形状を示す。図１（ｂ）の断面も図２とほぼ同様であるため省略する。
【００２１】
図１及び図２に示すように、乗かご内カメラ取付け板１ａ，１ｂは、一対のカメラ固定部９、及びカメラ取付部１０から構成される。カメラ固定部９は、乗かご壁面５を貫通して乗かご上面６に露出され、開口部８の左右の位置で乗かご壁面５に固定される。カメラ取付部１０は、この開口部８の横幅よりも小さな横幅を有し、乗かご上面６から開口部８を通過して乗かご３内に挿入され、乗かご壁面５に係止されたカメラ固定部９により保持される。また、図３に示すように、乗かご内カメラ取付け板１は、２箇所のビス孔１１ａ，１１ｂを有する一対のカメラ固定部９ａ，９ｂと、カメラ固定部９と同じ横幅（Ｗ）を有するカメラ取付部１０とから構成される。そして、作業者は、カメラ取付部１０を乗かご壁面５に係止されたカメラ固定部９により保持させて、カメラ取付部１０にカメラ４を取付ける。
【００２２】
すなわち、図２に示すように、開口部８の横幅（Ｗ１）をかご内カメラ取付け板１のカメラ取付部１０の横幅（Ｗ２）よりも大きくすることで、かご内カメラ取付け板１を乗かご上面６から開口部８を通過させて乗かご３内に挿入することができる。また、かご内カメラ取付け板１のカメラ固定部９の横幅（Ｗ３）を開口部８の横幅（Ｗ１）よりも大きくすることで、一対のカメラ固定部９を蝶ネジ２により乗かご壁面５に固定することができる。
【００２３】
また、カメラ固定部９を、乗かご壁面５を貫通して乗かご上面６に露出させることで、蝶ネジ２による固定を簡易にする。さらに、かご内カメラ取付け板１を乗かご壁面５に係止させる。これにより、かご内カメラ取付け板１を乗かご３内に落下させることなくその位置を保持しながら蝶ネジ２により固定することができる。
【００２４】
作業者は、これらの作業を乗かご上面６において行い、乗りかご３内部に吊下げられたかご内カメラ取付け板１に防犯カメラ４を取付ける。すなわち、作業者は、１人で全ての作業を行うことができる。
【００２５】
図４に、本発明に係るエレベータの乗かご内カメラ取付け方法を示す。作業者により、乗かご内カメラ取付け板１を、乗かご上部６から開口部８を通過させて乗かご３内に挿入する（Ｓ１）。この作業は、開口部８の横幅（Ｗ１）がかご内カメラ取付け板１のカメラ取付部１０の横幅（Ｗ２）よりも大きいため可能となる。次に、作業者により、開口部８の横幅を越えた位置で、乗かご内カメラ取付け板１を外部から乗かご壁面５に固定する（Ｓ２）。この作業は、かご内カメラ取付け板１のカメラ固定部９の横幅（Ｗ３）が開口部８の横幅（Ｗ１）よりも大きいことから可能となる。そして、乗りかご３内に移動した同じ作業者により、乗かご３内で乗かご内カメラ取付け板１に防犯カメラ４を取付ける（Ｓ３）、すべての作業を終了する。
【００２６】
このエレベータの乗かご内カメラ取付方法により、作業者が乗かご内カメラ取付け板１を、乗りかご３内に落下させることなく１人作業により取付けることができる。
【図面の簡単な説明】
【００２７】
【図１】本発明に係るエレベータの乗かご内カメラ取付け板の１つの実施形態の概略構成を示す断面図である。
【図２】図１のＡ−Ａ断面図である。
【図３】本発明に係る乗かご内カメラ取付け板の形状を示す説明図である。
【図４】本発明に係る乗かご内カメラ取付け方法を示すフロー図である。
【図５】従来の乗かご内カメラ取付け板の概略構成を示す断面図である。
【図６】図５のＣ−Ｃ断面図である。
【図７】従来の乗かご内カメラ取付け板の形状を示す説明図である。
【図８】従来の乗かご内カメラ取付け方法を示すフロー図である。
【符号の説明】
【００２８】
１ａ，１ｂ，１００ａ，１００ｂ  （エレベータの）乗かご内カメラ取付け板、２，１０２  蝶ネジ、３，１０３  乗かご、４，１０４  防犯カメラ、５，１０５  乗かご壁面、６，１０６  乗かご上面、８，１０８  開口部、９ａ，９ｂ，１０９ａ，１０９ｂ  カメラ固定部、１０，１１０  カメラ取付部、１１ａ，１１ｂ，１１１ａ，１１１ｂ  ビス孔。
【図１】
2010159120.tif 000003
【図２】
2010159120.tif 000004
【図３】
2010159120.tif 000005
【図４】
2010159120.tif 000006
【図５】
2010159120.tif 000007
【図６】
2010159120.tif 000008
【図７】
2010159120.tif 000009
【図８】
2010159120.tif 000010